(57)【要約】      （修正有）【課題】省エネルギーおよび環境保護を達成できる上、輝度および発光効率が高い照明電球を提供する。【解決手段】照明電球は、光源モジュール５を含み、光源モジュール５の前方には、光学レンズ３が配置され、光学レンズ３の光線を放射する側の表面には、拡散層がめっきされている。かかる照明灯具によれば、光源モジュール５から放出された光は、先ず、光学レンズ３によって屈折または／および反射した後、拡散層によって外部に屈折または／および反射し、拡散するようにして、該照明電球を構成する。【選択図】図３
0003163068.tif 000002
【実用新案登録請求の範囲】
【請求項１】
光源モジュールを含み、前記光源モジュールの前方には、光学レンズが配置され、前記光学レンズの放射面には、拡散層が被覆され、
前記光源モジュールから放出された光線は、先ず、前記光学レンズによって屈折または／および反射した後、前記拡散層によって外部に屈折または／および反射することを特徴とする照明電球。
【請求項２】
前記拡散層の材料は、高透光性材料であることを特徴とする請求項１記載の照明電球。
【請求項３】
前記拡散層は、高透光性材料であるナノレベルの光学ガラス顆粒からなることを特徴とする請求項２記載の照明電球。
【請求項４】
前記光学レンズ内には、前記光源モジュールが収容される少なくとも１つのチャンバが設けられてなることを特徴とする請求項１記載の照明電球。
【請求項５】
前記光学レンズの前記チャンバの内表面は、球面であり、
前記チャンバの中心は、前記光源の発光点に位置することを特徴とする請求項４記載の照明電球。
【請求項６】
前記光学レンズは、回転体であり、
前記回転体の中心線は、前記光源の発光点を通過することを特徴とする請求項５記載の照明電球。
【請求項７】
前記回転体の仮想回転面は、花弁状を呈し、
前記回転体の両側は、外側に突出した弧形であることを特徴とする請求項６記載の照明電球。
【請求項８】
前記光学レンズの前記光源が収容される前記チャンバと反対側の位置には、円形の凹部が設けられることを特徴とする請求項５記載の照明電球。
【請求項９】
前記光学レンズの下部には、取付部分が設けられ、前記取付部分は、前記光源モジュール上に固定されることを特徴とする請求項１乃至８の何れかに記載の照明電球。
【請求項１０】
前記光源モジュールは、ＬＥＤモジュールであることを特徴とする請求項１記載の照明電球。
【考案の詳細な説明】
【技術分野】
【０００１】
本考案は、照明灯具に関し、さらに詳しくは、省エネおよび環境保護を達成できる上、輝度が高い照明電球に関する。
【背景技術】
【０００２】
日常使用される照明灯具として、一般に、白熱電球が使用される。白熱電球は、光の発散度が非常に高いため、照明灯具に光の死角または影が発生することがなく、光の分布が好適である。しかし、白熱電球は、発光効率が低い上、輝度も高くない。仮に輝度が高い光が必要な場合、高ワット数の白熱電球を使用しなければならないため、電気エネルギーの消費が大きい。また、白熱電球は、使用寿命が短いため、頻繁に交換する必要がある。また、交換した後の古い電球は、再利用できないため、材料の浪費および環境汚染を引き起こしていた。
【０００３】
ＬＥＤランプは、輝度が高く、節電効果に優れ、使用寿命が長いため、すでに、様々な領域で使用されている。しかし、ＬＥＤランプから発生する光は、集中した光であり、光線は、約１２０度の範囲内に集中する。従って、ＬＥＤランプ１０，２０を照明電球として使用する場合、光の分布が好適でない。即ち、灯具の下部に光線が照射されない場所が発生するため、光の死角または影が発生する（図１Ａおよび図１Ｂを参照）。このため、照明灯具の外観が影響を受けたり、光の分布が乱れて不均一になることがある。
【０００４】
そこで、光の発散度および均一性が高く、また、省エネルギーおよび環境保護を達成できる照明電球が求められていた。
【考案の開示】
【考案が解決しようとする課題】
【０００５】
従って、本考案の課題は、省エネルギーおよび環境保護を達成することができ、また、輝度および発光効率が高い照明電球を提供することにある。
【課題を解決するための手段】
【０００６】
そこで、本考案者は、前記の本考案の課題を解決するため、鋭意検討を重ねた結果、光源モジュールの前方に光学レンズを配置し、前記光学レンズの前面に拡散層を設けることにより、前記課題を解決できることを見出し、かかる知見に基いて本考案に想到した。
【０００７】
かくして、上記課題を解決するために、本考案によれば、光源モジュールを含み、前記光源モジュールの前方には、光学レンズが配置され、前記光学レンズの放射面には、拡散層が被覆され、前記光源モジュールから放出された光線は、先ず、前記光学レンズによって屈折または／および反射した後、前記拡散層によって外部に屈折または／および反射することを特徴とする照明電球が提供される。
【０００８】
本考案において、前記拡散層の材料は、高透光性材料であることが好ましい。
【０００９】
本考案において、前記拡散層は、高透光性材料であるナノレベルの光学ガラス顆粒からなることが好ましい。
【００１０】
本考案において、前記光学レンズ内には、前記光源モジュールが収容される少なくとも１つのチャンバが設けられることが好ましい。
【００１１】
本考案において、前記光学レンズの前記チャンバの内表面は、球面であり、前記チャンバの中心は、前記光源の発光点に位置することが好ましい。
【００１２】
本考案において、前記光学レンズは、回転体であり、前記回転体の中心線は、前記光源の発光点を通過することが好ましい。
【００１３】
本考案において、前記回転体の仮想回転面は、花弁状を呈し、前記回転体の両側は、外側に突出した弧形であることが好ましい。
【００１４】
本考案において、前記光学レンズの前記光源が収容される前記チャンバと反対側の位置には、円形の凹部が設けられることが好ましい。
【００１５】
本考案において、前記光学レンズの下部には、取付部分が設けられ、前記取付部分は、前記光源モジュール上に固定されることが好ましい。
【００１６】
本考案において、前記光源モジュールは、ＬＥＤモジュールであることが好ましい。
【００１７】
なお、本明細書において、光学レンズの「放射面」とは、入射された光線が放射される側のレンズの表面であり、出光面を意味するものである。
【００１８】
また、拡散層の「被覆」とは、光学ガラス表面への拡散層微粒子のめっき処理、スパッタリング等その他のコーティング方法による被覆処理を意味するものとして用いられている。
【考案の効果】
【００１９】
本考案の照明電球は、光学レンズおよび透光性材料が光源から放出された光を２度分布させることにより、光線を所望の方向に発散させ、光を合理的に分布させ、光の利用効率を高めることができる。即ち、従来技術におけるランプの発光が集中するという欠点を解決することができる。
【図面の簡単な説明】
【００２０】
【図１Ａ】従来のＬＥＤランプの光分布を示す模式図である。
【図１Ｂ】従来のＬＥＤランプの光分布を示す模式図である。
【図２】本考案の一実施形態による照明電球の光分布を示す模式図である。
【図３】本考案の一実施形態による照明電球を示す分解正面図である。
【図４】本考案の一実施形態による光学レンズを示す斜視図である。
【図５】本考案の一実施形態による光学レンズを示す正面図である。
【図６】本考案の一実施形態による光学レンズを示す底面図である。
【図７】本考案の一実施形態による光学レンズを示す平面図である。
【図８】本考案の一実施形態による光学レンズを示す側面図である。
【図９】本考案の一実施形態による光学レンズを示す断面図である。
【図１０】図９の部分拡大図である。
【図１１】図９の拡散層を示す部分拡大図である。
【図１２】本考案の一実施形態による光学レンズを灯具に応用したときの状態を示す断面図である。
【考案を実施するための形態】
【００２１】
以下、本考案の実施形態について図面に基づいて説明する。なお、これらによって本考案が限定されるものではない。
【００２２】
図３を参照する。図３に示すように、照明電球３０は、光学レンズ３、拡散層４（図９を参照）、光源モジュール５、放熱器６、口金スタンド７およびカバー８を含む。口金スタンド７は、光源モジュール５を固定するのに使用され、カバー８内に配置される。放熱器６は、光源モジュール５の放熱を行う。照明電球３０の輝度を高めるために、光源モジュール５は、大パワーのものを採用することができる。光学レンズ３は、光源モジュール５の光源前方に配置される。特殊な曲率を有する光学レンズ３にするために、光学レンズ３の外表面には、拡散層４がめっきされる。これにより、光源モジュール５の光源が発光したときに放出された光線は、光学レンズ３を通過することにより、屈折および反射する。光学レンズ３には、様々な曲率が形成されているため、光学レンズ３に入射された光線は、屈折および反射することにより、様々な方向に発散する。即ち、光学レンズ３により、光源からの光線を発散させることができる。光線は、光学レンズ３を通過した後、拡散層４（図９を参照）を通過する。拡散層４は、ナノレベルの高透光性材料顆粒からなる。光線が各高透光性材料に入射する入射角が各高透光性材料によってそれぞれ異なるため、光線は、屈折した後、再び分布する。即ち、必要に応じ、光線を再び分布、例えば、均一に拡散させることにより、光線をさらに均一に照射することができる。これにより、灯具全体の外観を好適にすることができ、死角または影の部分が発生しない（図２を参照）ようになる。
【００２３】
図４〜図９を参照する。図４は、本考案の一実施形態による光学レンズを示す斜視図である。図４から分かるように、光学レンズ３は、碗状である。図５は、本考案の一実施形態による光学レンズを示す正面図である。図５から分かるように、光学レンズ３は、回転体３１および取付部分３３から構成される。回転体３１は、光学レンズ３の主要部分である。光源モジュール５から放射された光線は、主に、回転体３１を通過することにより、屈折および反射し、発散する。取付部分３３は、回転体３１を光源モジュール５上に固定するのに使用される。
【００２４】
図６は、本考案の一実施形態による光学レンズを示す底面図である。
【００２５】
図９は、本考案の一実施形態による光学レンズを示す断面図である。
【００２６】
図６および図９から分かるように、回転体３１は、チャンバ３４を有する。チャンバ３４には、光源モジュール５の光源が収容される。チャンバ３４は、略半球形であり、チャンバ３４の中心は、光源モジュール５の光源の発光中心点に位置する。この配置態様により、光線は、光源から放射された後、回転体３１内に垂直に進入するため、光の損失を低減することができる。また、回転体３１のチャンバ３４と反対側の位置には、凹部３２が設けられる。回転体３１の回転面は、セグメント３１１、セグメント３１２、セグメント３１３、セグメント３１４、セグメント３１５、セグメント３１６、セグメント３１７およびセグメント３１８から構成され、花弁状を呈する。回転体３１は、セグメント３１１、セグメント３１２、セグメント３１３、セグメント３１４、セグメント３１５、セグメント３１６、セグメント３１７およびセグメント３１８が光源モジュール５の光源の発光中心点の周りにおいて、光源モジュール５の中心線３１０に垂直に配置されることにより形成される。セグメント３１１は、光源の発光中心点を中心とする円弧である。セグメント３１５およびセグメント３１７は、外部に突出した弧状部分である。即ち、回転体３１は、特殊な形状の凸レンズであり、光線を発散または拡散させる作用を有する。
【００２７】
図１０および図１１を参照する。図１０および図１１は、拡散層４の構造を示す図面である。拡散層４は、高透光性材料の微粒が被覆、例えば、めっきされることにより構成される。高透光性材料は、ナノ技術により研磨された微粒である。研磨された各微粒は、それぞれ不規則な形状であり、複数の面を有する。上記の微粒が光学レンズ３の放射面上、すなわち出光面上にめっきされる。光線は、様々な方向から微粒に入射し、各微粒の入射角も微粒によって異なるため、所望の方向に再び分布する。
【００２８】
図１２を参照する。図１２に示すように、本考案の光源モジュールの前方に光学レンズが配置される技術を灯具中に応用することができる。これにより、灯具中のＬＥＤモジュールから放出された光線をさらに均一に分布させることができる。さらに、照明灯具の外観を改善し、省エネおよび環境保護を実現し、使用寿命を延長することができる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
３  光学レンズ
４  拡散層
５  光源モジュール
６  放熱器
７  口金スタンド
８  カバー
１０  ＬＥＤランプ
２０  ＬＥＤランプ
３０  照明電球
３１  回転体
３２  凹部
３３  取付部分
３４  チャンバ
３１０  中心線  
３１１  セグメント
３１２  セグメント
３１３  セグメント
３１４  セグメント
３１５  セグメント
３１６  セグメント
３１７  セグメント
３１８  セグメント
【図１Ａ】
0003163068.tif 000003
【図１Ｂ】
0003163068.tif 000004
【図２】
0003163068.tif 000005
【図３】
0003163068.tif 000006
【図４】
0003163068.tif 000007
【図５】
0003163068.tif 000008
【図６】
0003163068.tif 000009
【図７】
0003163068.tif 000010
【図８】
0003163068.tif 000011
【図９】
0003163068.tif 000012
【図１０】
0003163068.tif 000013
【図１１】
0003163068.tif 000014
【図１２】
0003163068.tif 000015